(57)【特許請求の範囲】
【請求項１】
無線通信システムにおける加入者のホームゾーンを規定する新たなセクタリストを生成するための方法において、
（ａ）  前記加入者から個人的なホーム領域を規定するアドレス位置情報を受信するステップと、
（ｂ）  前記アドレス位置から予め設定された距離内に位置し、それぞれ相違したセクタ角度を有する多数の対象基地局（ＢＴＳ：Ｂａｓｅ  Ｔｒａｎｓｃｅｉｖｅｒ  Ｓｔａｔｉｏｎ）を検出するステップと、
（ｃ）  前記アドレス位置の辺りのカバレージ領域を多数のサブカバレージエリアに分割するステップと、
（ｄ）  前記検出されたＢＴＳを前記分割されたサブカバレージエリアに結合するステップと、
（ｅ）  前記各サブカバレージエリア内の結合されたＢＴＳを第１列、第２列、及び第３列ＢＴＳに分類するステップと、
（ｆ）  前記第１列ＢＴＳのセクタ角度に従って前記ホームゾーンを規定する前記セクタリストを生成するステップと
からなることを特徴とするセクタリスト生成方法。
【請求項２】
前記生成されたセクタリストを前記加入者の移動局と関連したホーム位置レジスタ（ＨＬＲ：Ｈｏｍｅ  Ｌｏｃａｔｉｏｎ  Ｒｅｇｉｓｔｅｒ）に貯蔵するステップをさらに含む請求項１記載のセクタリスト生成方法。
【請求項３】
前記加入者が電話通話を行うとき、前記加入者に対する多様な通話料金を課するために前記移動局の位置と前記ＨＬＲに貯蔵された情報とを比較するステップをさらに含む請求項２記載のセクタリスト生成方法。
【請求項４】
前記加入者のために前記アドレス位置の地理的座標を貯蔵するステップをさらに含む請求項１記載のセクタリスト生成方法。
【請求項５】
前記アドレス位置を対応する緯度及び経度座標へ変換するステップをさらに含む請求項１記載のセクタリスト生成方法。
【請求項６】
前記ステップ（ｂ）の前記予め設定された距離内に位置する前記対象ＢＴＳを決定するために前記アドレス位置と前記各ＢＴＳとの間の距離が、下記式（１）に従って決定される請求項１記載のセクタリスト生成方法。
【数１】
0003593054.tif 000011
ここで、ｘｂｔｓ及びｙｂｔｓは、前記ＢＴＳの経度及び緯度座標であり、ｘｈｏｍｅ及びｙｈｏｍｅは、前記アドレス位置の経度及び緯度座標であり、ｄｌａｔ及びｄｌｏｎｇは、特定の地域の緯度及び経度距離である。
【請求項７】
前記多数のサブカバレージエリアが前記アドレス位置の辺りに均一に分布されている請求項１記載のセクタリスト生成方法。
【請求項８】
前記ＢＴＳを分類するステップ（ｅ）が
（ｉ）  前記アドレス位置と前記ＢＴＳとの間のホーム角度であるＨＡＢを決定するステップと、
（ｉｉ）  前記ホーム角度ＨＡＢから前記ＢＴＳのそれぞれのセクタ角度を差し引くことにより、前記ＢＴＳのそれぞれのセクタ角度と前記アドレス位置との間の角度であるＡＳＨを計算するステップと、
（ｉｉｉ）  前記算出された角度ＡＳＨが一番小さい値を有する場合、前記アドレス位置から予め設定された第１距離内に位置する前記多数のＢＴＳのうちの１つを前記第１列ＢＴＳに分類するステップとを含む請求項１記載のセクタリスト生成方法。
【請求項９】
前記ステップ（ｉｉｉ）が、
（ａ）  前記算出された角度ＡＳＨが一番小さい値を有する場合、前記アドレス位置から予め設定された第２距離内に位置する前記多数のＢＴＳのうちの１つを前記第２列ＢＴＳに分類するステップと、
（ｂ）  前記算出された角度ＡＳＨが一番小さい値を有する場合、前記アドレス位置から予め設定された第３距離内に位置する前記多数のＢＴＳのうちの１つを前記第３列ＢＴＳに分類するステップとをさらに含む請求項８記載のセクタリスト生成方法。
【請求項１０】
前記ステップ（ｄ）で、前記多数のサブカバレージエリアのうちの１つの領域内に前記ＢＴＳがない場合一番小さいセクタ角度を有し、基準角度範囲内にある隣接グループからの第２列及び第３列ＢＴＳのうちの１つにＢＴＳのない前記サブカバレージエリアのための第１列ＢＴＳで選択される請求項９記載のセクタリスト生成方法。
【請求項１１】
前記セクタリストを生成する前記ステップ（ｆ）が、前記第１列ＢＴＳのセクタ角度に従って前記ホームゾーンの境界を定める対応する往復遅延時間ＲＴＤ（Ｒｏｕｎｄ  Ｔｒｉｐ  Ｄｅｌａｙ）を計算するステップをさらに含む請求項１記載のセクタリスト生成方法。
【請求項１２】
前記ステップ（ｆ）が、
（ｉ）  前記第１列ＢＴＳから限界角度値を超過するセクタ角度を除去するステップと、
（ｉｉ）  前記第１列ＢＴＳのセクタ角度に対応するアンテナの基準ビームパターン（Ｒｅｆｅｒｅｎｃｅ  Ｂｅａｍ  Ｐａｔｔｅｒｎ）が限界値以下である場合、セクタ角度を除去するステップをさらに含む請求項１記載のセクタリスト生成方法。
【請求項１３】
無指向性アンテナ（Ｏｍｎｉ−ｄｉｒｅｃｔｉｏｎａｌ  Ａｎｔｅｎｎａ）が前記第１列ＢＴＳに使用される場合、前記ステップ（ｆ）が前記第１列ＢＴＳのすべてのセクタ角度を利用して前記新たなセクタリストを生成するステップをさらに含む請求項１記載のセクタリスト生成方法。
【請求項１４】
前記ＲＴＤ範囲は、下記式（２）、（３）、（４）に従って計算される請求項１１記載のセクタリスト生成方法。
【数２】
0003593054.tif 000012
ここで、１チップ＝２４４．１４ｍ、ＲＴＤ＝１／８チップであり、前記ＳＹＳＴＥＭ＿ＤＥＬＡＹは、各セクタシステムと関連した遅延時間を示し、前記Ｚ１及びＺ２は、サービス提供者によって設定される任意値を示す。
【請求項１５】
無線通信ネットワークで加入者に対するホームゾーンを規定するための装置において、
前記加入者によって入力されたアドレス位置情報を伝送する手段と、
前記アドレス位置情報を対応する緯度及び経度座標へ変換する手段と、
加入者から前記アドレス位置を受信するとき、直ちに前記ホームゾーンを規定する新たなホームゾーンリストを決定する手段と、
前記加入者のために前記決定されたホームゾーンリストを貯蔵する手段と
からなることを特徴とするホームゾーン規定装置。
【請求項１６】
多数の加入者に従って個別的に合わせられた多数のホームゾーンを結合した前記新たなホームゾーンリストを貯蔵する手段をさらに含む請求項１５記載のホームゾーン規定装置。
【請求項１７】
前記加入者が前記ホームゾーン内に位置するか否かを決定する手段をさらに含む請求項１５記載のホームゾーン規定装置。
【請求項１８】
前記決定されたホームゾーンリストを貯蔵する前記手段が前記加入者と関連したホーム位置レジスタ（ＨＬＲ：Ｈｏｍｅ  Ｌｏｃａｔｉｏｎ  Ｒｅｇｉｓｔｅｒ）である請求項１５記載のホームゾーン規定装置。
【請求項１９】
前記決定されたホームゾーンリストを貯蔵する前記手段が前記加入者と関連した加入者データベースである請求項１５記載のホームゾーン規定装置。
【発明の詳細な説明】
【０００１】
【発明の属する技術分野】
本発明は、移動通信システムに関し、特に、関連した移動電話加入者に更新されたホームゾーンデータベース（Ｈｏｍｅ  Ｚｏｎｅ  Ｄａｔａｂａｓｅ）を提供する方法に関する。
【０００２】
【従来の技術】
無線電話サービスに対する需要が増加するに従って、多くのサービス提供者を他のサービス提供者と競争するために多様な形態のサービスを提供している。一例として、加入者がホームで通話を行う場合は、より安価の通信サービス料金を課するサービス形態がある。そのようなサービスを利用すると、加入者は、ホーム領域を個別的に指定して通信サービスが安価で利用できる。それに従って、移動電話加入者が１つの番号を利用して通話接続が行えるようにする“ワンナンバー（Ｏｎｅ  Ｎｕｍｂｅｒ）”サービスで知られた電話通話概念が大衆化されている。
【０００３】
移動電話加入者がある通話に対しても移動局（ＭＳ：Ｍｏｂｉｌｅ  Ｓｔａｔｉｏｎ）が利用できるようにするために、“ホームゾーン（Ｈｏｍｅ  Ｚｏｎｅ）”との概念が導入された。移動電話加入者が移動局を利用してホームゾーン内で通話接続を行う場合は、実際の通話時間比率よりさらに低い時間比率で通話料金がその加入者に課される。従って、移動電話加入者は、ホームゾーン（すなわち、加入者のホーム）内で、１つの通信端末機を利用して安価の料金で電話を掛けて受けられる。
【０００４】
従来の無線ネットワークにおいて、電話通話をホームゾーン通話に分類するに利用されるホームゾーンリストは、加入者の受動操作を通じて更新される。例えば、１つの移動通信環境から外れて新たなホームゾーン位置を指定しようとする加入者は、電話をかけるときと類似の方式で、移動端末機上の特定のキー（例えば、＊６５）を押すことにより、移動通信システムにそのようなホームゾーンの変更を知らせる。そうすると、移動通信システムは、その当時の加入者の位置を決定し、通話料金の計算のためにそのような情報をデータベース内にホームゾーンの位置に更新する。しかし、このようなホームゾーン更新方式は、多くの使用者には不便であり、甚だしくは不注意で更新が行われないこともあった。従って、使用者に受動操作を要求することなく、ホームゾーンサービスが提供でき、ホームゾーン指定方式が簡素化できる方法が要求されてきた。
【０００５】
【発明が解決しようとする課題】
従って、本発明の目的は、無線通信システムでホームゾーンリストを生成する方法を提供することにある。
【０００６】
【課題を解決するための手段】
前記のような目的を達成するために、本発明に従うホームゾーンリスト生成方法は、加入者がホームゾーン位置で定めようとするアドレス位置情報（Ａｄｄｒｅｓｓ  Ｌｏｃａｔｉｏｎ  Ｉｎｆｏｒｍａｔｉｏｎ）を受信するステップと、前記アドレス位置から予め設定された距離内に位置する対象基地局（ＢＴＳ：Ｂａｓｅ  Ｔｒａｎｓｃｅｉｖｅｒ  Ｓｔａｔｉｏｎ）を検出するステップと、前記アドレス位置の辺りのカバレージ領域（Ｃｏｖｅｒａｇｅ  Ａｒｅａ）を多数のサブカバレージエリア（Ｓｕｂ−ｃｏｖｅｒａｇｅ  Ａｒｅａ）に分割するステップと、前記検出されたＢＴＳを前記分割された各サブカバレージエリアに結合するステップと、前記各サブカバレージエリア内のＢＴＳを第１列、第２列及び第３列ＢＴＳで優先順位を付けるステップと、前記第１列ＢＴＳのセクタ角度（Ｓｅｃｔｏｒ  Ａｎｇｌｅ）データを基として、前記加入者に対する新たなセクタリスト（Ｓｅｃｔｏｒ  Ｌｉｓｔ）を生成するステップと、からなることを特徴とする。
【０００７】
本発明の他の実施形態に従うと、前記第１列ＢＴＳと関連したデータのない場合、前記セクタリストは前記第２列または第３列ＢＴＳを利用して生成される。本発明のまた他の実施形態に従うと、無線通信ネットワークにおいて、加入者に対するホームゾーンを定める装置は、加入者によって入力されたアドレス位置情報を伝送する手段と、前記アドレス位置情報を対応する緯度及び経度座標へ変換する手段と、加入者から前記アドレス位置情報を受信すると、ホームゾーンを規定する新たなセクタリストを決定する手段と、前記加入者のための新たなセクタリストを貯蔵する手段と、からなることを特徴とする。
【０００８】
【発明の実施の形態】
以下、本発明の好適な実施形態を添付図面を参照して詳しく説明する。なお、図面中、同一な構成及び要素には同一な符号を共通使用するものとする。下記の説明において、本発明の要旨を不明瞭にする公知の機能及び構成に対する詳細な説明は省略する。
【０００９】
一方、下記説明で触れている具体的な実施形態に対する多様な変形は、本発明の範囲内で可能であるので、本発明の範囲は説明された実施形態によって定められることではなく、特許請求範囲及び特許請求範囲の均等なものによって定められるべきであることに留意されたい。
【００１０】
図１を参照すると、本発明の好適な実施形態に従う装置は、新たな移動電話使用者やホームゾーンサービスにすでに加入した使用者が、無線通信システム内でホームゾーンの追加または変更を所望していることを検出すると、ホームゾーンリストを生成する。そのようなホームゾーンリスト生成過程は、新たなホームゾーンの指定を所望する移動電話加入者が自分のホームアドレスを顧客管理センター（ＣＣＣ：Ｃｕｓｔｏｍｅｒ  Ｃａｒｅ  Ｃｅｎｔｅｒ）４に提供するときＣＣＣ４から始まる。そうすると、ＣＣＣ４は、位置決定及びサービス提供センター（ＬＤＳＰＣ：Ｌｏｃａｔｉｏｎ  Ｄｅｔｅｒｍｉｎｉｎｇ  ＆  Ｓｅｒｖｉｃｅ  Ｐｒｏｖｉｓｉｏｎｉｎｇ  Ｃｅｎｔｅｒ）２へホームアドレス情報を伝送するが、ここで、ＬＤＳＰＣ２は、加入者からのホームアドレス情報及びすべてのＢＴＳ変数情報を基として、新たなホームゾーンリストを算出する制御器である。ホームゾーンに対する新たな位置がシステムに貯蔵された後、加入者が通話を送受信するときごと料金計算機能が遂行されることができる。通話がホームゾーン領域内で行われると、そのホームゾーンの通話に対しては低い比率の通話料金が使用者に課される。
【００１１】
ホームゾーンサービスに加入した使用者へのホームゾーンの割当てにあたって、本発明に従う方法は、使用者がホームゾーンサービスを受けようとする物理的な住所（すなわち、通り住所（ｓｔｒｅｅｔ  ａｄｄｒｅｓｓ））をＣＣＣ４に知らせる過程を含む。前記ホームゾーンは、加入者が提供したホームアドレス情報を中心にして形成される。例えば、加入者は、ホームゾーンサービスを受けるために、自分のホーム住所または事務室の住所を入力するようになる。そうすると、ＣＣＣ４の運営者は、このような情報を入力してそれを地理的位置決定部（ＧｅｏＬｏｃ：Ｇｅｏｇｒａｐｈｉｃ  Ｌｏｃａｔｉｏｎ  ｅｌｅｍｅｎｔ）６へ伝送するが、ここで、前記アドレス情報がデータベース内に前記特定のホームアドレス位置に対する緯度及び経度座標として貯蔵される。そのような情報は、緯度及び経度座標と共に通り名及び住所に対する情報を含んでいる地図から容易に得られる。このような情報は、ネットワークのサービス領域内の通り住所のためのデータベースに貯蔵される。本発明の好適な実施形態において、角度、分及び秒の形態で入力された位置情報を使用すると、より正確の位置情報が利用できる。
【００１２】
前記ＣＣＣ４からホームアドレス情報を受信すると、システム内のすべてのＢＴＳに対する関連した位置情報を有する前記ＧｅｏＬｏｃ６は、サービスを要請している加入者のための新たなホームゾーンリスト８を計算する。ＧｅｏＬｏｃ６によって計算された新たなホームゾーン情報１０は、加入者データベース１２に貯蔵される。位置変更時間のような関連したホームゾーン情報は、すべて前記データベース１２の内で保存される。このとき、新たに計算されたホームゾーンリストは、加入者のプロフィール記録で登録されるために、ホーム位置レジスタ（ＨＬＲ：Ｈｏｍｅ  Ｌｏｃａｔｉｏｎ  Ｒｅｇｉｓｔｅｒ）１４へ伝送され、これにより、全体的な入出力要求事項が減少される。その後、このようなホームゾーン情報は、一般にホームゾーンサービスのための位置データを要求する応用プログラムによって加入者別に照会される。すなわち、加入者が継続的に電話通話の送受信を行うときごと通話料金の計算のために位置決定演算が遂行され、その結果がＨＬＲ１４のデータベースに貯蔵された変数と比較される。
【００１３】
以下、図４、図２、及び図３を参照して新たなホームゾーンリストを生成するに使用されるアルゴリズムを詳細に説明する。図２は、新たに算出されたホームゾーンリストを示しており、図３は、ＢＴＳ変数データベースに貯蔵されたすべての情報を示している。
【００１４】
図４は、ＣＣＣ４を通じて加入者からホームアドレス情報を受信した後、新たなホームゾーンリストを生成するステップを示している。ここで、サービスを要求している加入者は、新たなホームゾーンで指定しようとする物理的な住所の情報をＣＣＣ４にのみ提供すればよい。図４のステップ１００で、新たなアドレス情報を受信すると、図１のＧｅｏＬｏｃ６は、その特定の加入者に対する該当する緯度／経度の位置情報を検索し、図３に示したようなシステム内のすべてのＢＴＳ変数を含んでいるデータベースに接近する。このような位置測定のために、前記方法の代わりに、他の適当な位置決定技法及び関連した情報が利用されることができる。一例として、そのような位置測定を遂行するシステムは、標準ＧＰＳ（Ｇｌｏｂａｌ  Ｐｏｓｉｔｉｏｎｉｎｇ  Ｓｙｓｔｅｍ：  汎地球測位システム）受信器が内部に結合された加入者の端末装置が利用できる。前記のようなＧＰＳ受信器が結合された加入者端末装置は、当業者には自明な事項である。
【００１５】
図４のステップ１０２で、ＬＤＳＰＣ２は、物理的な住所情報の緯度／経度座標及びシステム内のＢＴＳを利用して加入者がホームゾーンで指定しようとする位置から予め設定された半径Ｄ（すなわち、１５Ｋｍ）以内の潜在的な対象ＢＴＳのリストをコンパイリング（ｃｏｍｐｉｌｉｎｇ）する。予め設定された半径Ｄ以内の対象ＢＴＳを獲得するために、下記式（５）を通じてアドレス位置情報と各ＢＴＳとの間の距離を決定する。
【００１６】
【数３】
0003593054.tif 000002
【００１７】
ここで、ｘｂｔｓ及びｙｂｔｓは、ＢＴＳの経度／緯度（角度単位：秒）を示し、ｘｈｏｍｅ及びｙｈｏｍｅは、移動電話加入者によって入力された該当アドレス情報の経度／緯度（角度単位：秒）を示し、ｄｌａｔは、特定の地域の１秒の角度に該当する緯度距離（すなわち、３０．６３ｍ）を示し、ｄｌｏｎｇは、特定の地域の１秒の角度に該当する経度距離（すなわち、２５．９５ｍ）を示す。
【００１８】
図４のステップ１０６で、ＢＴＳと加入者のホームアドレス位置との間の角度（ＨＡＢ：ａｎｇｌｅ  ｂｅｔｗｅｅｎ  ｔｈｅ  ｓｕｂｓｃｒｉｂｅｒ’ｓ  ｈｏｍｅ  ａｄｄｒｅｓｓ  ｌｏｃａｔｉｏｎ  ｒｅｌａｔｉｖｅ  ｔｏ  ｔｈｅ  ＢＴＳ）を計算する。前記ＨＡＢの計算は、加入者ホーム位置の緯度／経度座標及びＢＴＳ変数データベースを基として遂行される。このようなＨＡＢを決定するための一般の数式は図５に示されている。このようなＨＡＢの具体的な計算過程は、当業者には自明な事項であるので省略する。
【００１９】
各ＢＴＳに対するＨＡＢを決定した後、前記ＨＡＢ値を利用してＢＴＳの各セクタと加入者のホームアドレス位置との間の角度（ＡＳＨ：ａｎｇｌｅ  ｂｅｔｗｅｅｎ  ｅａｃｈ  ｓｅｃｔｏｒ  ｏｆ  ｔｈｅ  ＢＴＳ  ａｎｄ  ｔｈｅ  ｓｕｂｓｃｒｉｂｅｒ’ｓ  ｈｏｍｅ  ａｄｄｒｅｓｓ  ｌｏｃａｔｉｏｎ）を計算する。前記ＡＳＨ値は、加入者のホームアドレス位置から予め設定された距離Ｄ−ＴＩＥＲ＿ＡＤＪＵＳＴ（例えば、１５０ｍ）以内に位置する各ＢＴＳに対して計算される。ここで、基準距離１５０ｍは、前記式（５）と類似の方式にて計算される。例えば、特定のＢＴＳに対するＨＡＢが５０゜、特定のＢＴＳの対応するセクタ角度α，β，γがそれぞれ２０゜，１５０゜，２９０゜であれば、対応するＡＳＨ＿α，ＡＳＨ＿β，ＡＳＨ＿γは、下記式（６）、（７）、（８）のように特定のＢＴＳの決定されたＨＡＢ値からそれぞれのセクタ角度を引くことによって得られる。
【００２０】
【数４】
0003593054.tif 000003
【００２１】
ここで、［ＡＳＨ＿α，β，γ］＝［ＨＡＢ−ａｎｇｌｅα，β，γ］  ＞１８０であれば、［ＡＳＨ＿α，β，γ］＝（３６０−［ＨＡＢ−ａｎｇｌｅα，β，γ］）になる。このような状態になると、セクタアンテナは、物理的な住所位置と反対の方向に向くようになる。
【００２２】
前記式（６）、（７）、（８）を適用してみると次のようである。
ＡＳＨ＿α  ＝  ｜５０−２０｜  ＝  ３０゜
ＡＳＨ＿β  ＝  ｜５０−１５０｜  ＝  １００゜
ＡＳＨ＿γ  ＝  ｜５０−２９０｜  ＝  ２４０゜
【００２３】
その後、図４のステップ１０８で、ホームアドレス位置の周辺のカバレージ領域は、多数のグループに分割される。本発明の好適な実施形態に従うと、ホームアドレス位置の周辺の前記カバレージ領域は、図６に示すように６個のグループに分割される。前記６個の分割されたカバレージグループのセクタ角度はすべて６０゜である。図６に示すように、第１グループは、０゜と５９゜との間のカバレージ領域に該当し、第２グループは、６０゜と１１９゜との間のカバレージ領域に該当し、第３グループは、１２０゜と１７９゜との間のカバレージ領域に該当し、第４グループは、１８０゜と２３９゜との間のカバレージ領域に該当し、第５グループは、２４０゜と２９９゜との間のカバレージ領域に該当し、第６グループは、３００゜と３５９゜との間のカバレージ領域に該当する。
【００２４】
ホームアドレス位置の周辺のカバレージ領域を６個のグループに分割し、それぞれのＨＡＢ及びＡＳＨを計算した後、カバレージ領域に位置するすべてのＢＴＳを前記分割されたグループに従って結合する。ステップ１０２で検出されたすべてのＢＴＳは、前記計算されたＨＡＢ値に従って前記分割されたグループに結合される。その後、分割された各グループ内のＢＴＳは第１列、第２列、及び第３列ＢＴＳに分類される。各列は、１つのＢＴＳのみを有することが望ましい。
【００２５】
以下、下記＜表１＞及び＜表２＞を参考にして第１列、第２列、及び第３列ＢＴＳを決定する過程を説明する。＜表１＞及び＜表２＞は、分割されたグループのうちの１つに対する図４の前記ステップ１０６及びステップ１０８に従って導出された結果データを反映する。
【００２６】
【表１】
0003593054.tif 000004
【００２７】
【表２】
0003593054.tif 000005
【００２８】
第１列ＢＴＳは、ＤＨＢ値とＡＳＨ＿［α，β，γ］に従って決定される。一番小さいＡＳＨ値を有するＢＴＳが第１列ＢＴＳで選択される。＜表１＞を参照すると、Ｄ−ＴＩＥＲ＿ＡＤＪＵＳＴが１５０ｍであり、（ＤＨＢ＿Ａ−ＤＨＢ＿Ｂ  ＜  １５０）、（ＤＨＢ＿Ｂ−ＤＨＢ＿Ｃ  ＜  １５０）、及び（ＤＨＢ＿Ｃ−ＤＨＢ＿Ａ  ＜  １５０）であれば、ＢＴＳ１６が一番小さいＡＳＨ値（ＡＳＨ＿α＝５０）を有するので、第１列ＢＴＳで選択される。
【００２９】
＜表２＞を参照すると、Ｄ−ＴＩＥＲ＿ＡＤＪＵＳＴが１５０ｍであり、（ＤＨＢ＿Ａ−ＤＨＢ＿Ｂ  ＜  １５０）、（ＤＨＢ＿Ｂ−ＤＨＢ＿Ｃ  ＜  １５０）、及び（ＤＨＢ＿Ｃ−ＤＨＢ＿Ａ  ＞  １５０）であれば、ＢＴＳ１６がＢＴＳ１２及びＢＴＳ１６のうちで一番小さいＡＳＨ値（ＡＳＨ＿γ＝５０）を有するので第１列ＢＴＳで選択される。
【００３０】
ホームゾーンを定めるために、一番小さいＡＳＨ値を有するＢＴＳを選択する理由は次のようである。指向性アンテナが各セルサイト（ｃｅｌｌ  ｓｉｔｅ）及びセクタサイトで使用される場合、大きいＡＳＨ値は、アンテナの外部範囲である“視野角（ｆｉｅｌｄ  ｏｆ  ｖｉｅｗ）”を反映するので、アンテナが向く方向が第１列ＢＴＳを選択するとき考慮される。大部分の場合、一番小さいＡＳＨ値を有するＢＴＳは、一番大きい信号対雑音比（ｓｉｇｎａｌ−ｔｏ−ｎｏｉｓｅ  ｒａｔｉｏ）を有するようになる。従って、移動端末装置に直面しないＢＴＳは、ホームゾーンを規定するホームゾーンリストから除外させることが望ましい。そこで、セクタ間の信号対雑音比が十分であっても、セルのセクタ間の角が大きくなりすぎると、そのセクタは、ホームゾーンを規定するに使用されるＢＴＳ候補セクタリストから除外される。
【００３１】
さらに、下記＜表３＞でのように、前記グループのうちの１つに存在するすべての対象ＢＴＳのＤＨＢがＤ−ＴＩＥＲ＿ＡＤＪＵＳＴである１５０ｍを超過するようになると、一番小さいＡＳＨ値を有するＢＴＳは、グループ内で第１列ＢＴＳで選択される。＜表３＞を参照すると、Ｄ−ＴＩＥＲ＿ＡＤＪＵＳＴが１５０ｍより大きく、（ＤＨＢ＿Ａ−ＤＨＢ＿Ｂ  ＞  １５０）、（ＤＨＢ＿Ｂ−ＤＨＢ＿Ｃ  ＞  １５０）、及び（ＤＨＢ＿Ｃ−ＤＨＢ＿Ａ  ＞  １５０）であるので、ＢＴＳ１６が第１列ＢＴＳで選択される。
【００３２】
【表３】
0003593054.tif 000006
【００３３】
各グループから第１列ＢＴＳを検出した後、検出された６個の第１列ＢＴＳを一番小さいＡＳＨ値を有するＢＴＳに従って優先順位が付けられる。その後、第２列ＢＴＳ及び第３列ＢＴＳが第１列ＢＴＳを決定するときと類似の方式にて決定される。まず、予め設定されたＤＨＢ値が第２列ＢＴＳ及び第３列ＢＴＳのそれぞれを計算するために選択された後、検出された対象ＢＴＳがＤＨＢ値の大きさに従って分類される。その後、一番小さいＡＳＨ値を有するＢＴＳが前記＜表１＞、＜表２＞、及び＜表３＞に示したものと類似の方式にて第２列及び第３列ＢＴＳで選択される。
【００３４】
図４のステップ１１０で、６個の分割された各グループに第１列、第２列、及び第３列ＢＴＳを割り当てた後、ステップ１１２で、６個の各グループに対する第１列ＢＴＳを含むサービスセクタリストが決定される。ここで、前記サービスセクタリストは、この後にホームゾーンを定めるに使用されるセクタ候補を示す。６個のグループのそれぞれに１ずつ総６個の第１列ＢＴＳが存在するので、最大６個のサービスセクタデータがホームゾーンを定めるに使用されることができる。前記サービスセクタリストの数を減少させるために、特定の方向に延長したアンテナローブを有するビームパターン（ｂｅａｍ  ｐａｔｔｅｒｎ）の範囲を示す基準値であるＤ＿ＢＡＣＫＬＯＢ＿ＬＩＭＩＴを使用してホームゾーンを定めるに利用されないセクタ候補を選択的に除去する。そこで、多重経路環境で収集されたデータを基として、９７６ｍ以下の延長したローブを放出するアンテナビームパターンを選択するようになると、遠隔地に位置する移動端末機との通信が一番容易になる。従って、第１列ＢＴＳのセクタ角度α，β，γに対応するアンテナのＤ＿ＢＡＣＫＬＯＢ＿ＬＩＭＩＴが９７６ｍ以下になると、前記第１列ＢＴＳのすべてのセクタ角度α，β，γは、この後にホームゾーンサービス領域の境界を定めるに利用される前記サービスセクタリストに含まれる。また、第１列ＢＴＳのセクタ角度α，β，γのすべてが予め設定されたＡＳＨ＿ＬＩＭＩＴ（すなわち、１０５゜）より小さくなると、前記第１列ＢＴＳのセクタ角度α，β，γのすべては前記セクタリストに含まれる。さらに、無指向性（ｏｍｎｉ−ｄｉｒｅｃｔｉｏｎａｌ）アンテナが第１列ＢＴＳ内に備えられると、前記第１列ＢＴＳのセクタ角度α，β，γのすべては前記セクタリストに含まれる。
【００３５】
第２列及び第３列ＢＴＳもサービスセクタリストを決定するにあたって、前記第１列ＢＴＳと類似の方式にて取り扱われる。第２列及び第３列ＢＴＳを選択して使用する理由は次のようである。ステップ１１４で、分割された６個のグループのうちの１つに第１列ＢＴＳを決定する対象ＢＴＳが発見されないと、一番小さいＡＳＨ値を有する隣接グループからの第２列または第３列ＢＴＳは、前記対象ＢＴＳの発見されないグループの第１列ＢＴＳで選択される。例えば、前記対象ＢＴＳが発見されないグループの境界から１０゜以内に存在する第２列または第３列ＢＴＳからのＡＳＨ値のうちの１つがそのグループの第１列ＢＴＳで選択される。もしも、グループＩＩのカバレージ領域内で対象ＢＴＳが発見されないと、グループＩから５０゜と６０゜との間に存在するか、グループＩＩＩから１２０゜と１３０゜との間に存在する一番小さいＡＳＨ値を有するＢＴＳのうちの１つがグループＩＩの第１列ＢＴＳで選択される。しかし、前記範囲内でどんなＢＴＳも発見されないと、隣接ＡＳＨ値を誘導するに使用される基準角度が適切に調整されることができる。
【００３６】
図４のステップ１１６で、特定の加入者のために完全なサービスセクタリストが求められると、ホームゾーンサービス領域の境界を定める対応する往復遅延時間（ＲＴＤ：Ｒｏｕｎｄ  Ｔｒｉｐ  Ｄｅｌａｙ）の範囲が下記式（９）を通じて計算される。
【００３７】
【数５】
0003593054.tif 000007
ここで、ＳＹＳＴＥＭ＿ＤＥＬＡＹは各セクタシステムの遅延を示す。
【００３８】
【数６】
0003593054.tif 000008
【００３９】
ここで、因数０．９５及び１２０は、最適のＲＴＤ範囲を求めるために一定の地理的位置内でサービス提供者によって設定される任意値として、多様なサービス位置に従って変更されられる値である。
【００４０】
【数７】
0003593054.tif 000009
【００４１】
ここで、因数２０及び１２０は、最適のＲＴＤ範囲を求めるために一定の地理的位置内のサービス提供者によって設定される任意値として、多様なサービス位置に従って変更されられる値である。
【００４２】
前記数式において、１チップ＝２４４．１４ｍであり、ＲＴＤ＝１／８チップである。前記ＲＴＤの値はビット周期で表現され、各ビット周期は、ほぼＭＳとＢＴＳとの間の距離である２４４ｍに該当する。信号がホームアドレス位置で基地局へ伝送されるにかかる時間は、ホームゾーンから基地局までの距離を示す。
【００４３】
その後、前記式（９）に従う過程は、サービスセクタリストの残りのセクタを使用して反復され、それに従って、下記＜表４＞に示すようなＲＴＤ範囲によって規定される新たなホームゾーンリストがサービスを要請している加入者のために生成される。
【００４４】
【表４】
0003593054.tif 000010
【００４５】
【発明の効果】
以上から述べてきたように、本発明は、“ワンナンバーサービス”または“ホームゾーンサービス”を支援するホームゾーンリストがホームゾーンサービスに加入した使用者が通話を行うとき、直ちに生成されることができる。新たに生成されたホームゾーンリストは、通話料金請求書の控えを生成するために、ホーム位置レジスタ及び加入者データベースへ自動で伝送される。従って、サービスを要請している移動電話加入者のアドレス情報が顧客管理センターを通じて受信されるとき、各加入者のために、加入者のホームゾーン情報が各加入者の各ゾーンに対してデータベースに貯蔵されるという点で、運営者によるデータ管理が簡素化できる。そこで、本発明によると、加入者が通話を受け取るとき、前記データベースに貯蔵されている変数を比較することにより、通話料金の計算のための位置決定演算が遂行されることができる。
【図面の簡単な説明】
【図１】本発明の実施形態に従うシステムをを示すブロック図である。
【図２】本発明の実施形態に従う移動局と関連した加入者のホームゾーンリストを示す表である。
【図３】本発明の実施形態に従う通信システム内のすべての基地局に対する変数を示す表である。
【図４】本発明の実施形態に従う新たなホームゾーンリストを生成するステップを示すフローチャートである。
【図５】基地局と加入者アドレス位置との間の角度を計算する方法を示す図である。
【図６】本発明の実施形態に従ってホームアドレス位置の辺りのカバレージ領域が多数のグループに分割されるときの加入者アドレス位置のカバレージ領域を示す図である。
【符号の説明】
２  位置決定及びサービス提供センター（ＬＤＳＰＣ）
４  顧客管理センター（ＣＣＣ）
６  地理的位置決定部（ＧｅｏＬｏｃ）
８  新たなホームゾーンリスト
１０  新たなホームゾーン情報
１２  加入者データベース
１４  ホーム位置レジスタ
【図１】
0003593054.tif 000013
【図２】
0003593054.tif 000014
【図３】
0003593054.tif 000015
【図４】
0003593054.tif 000016
【図５】
0003593054.tif 000017
【図６】
0003593054.tif 000018